(57)【特許請求の範囲】
【請求項１】
車両の貸与を行うステーションの位置に関するステーション位置情報と、前記ステーションの空き状態に関するステーション空き情報を含むステーション管理情報と、前記車両の貸与者が使用するステーションに関する使用ステーション情報、前記貸与者が車両を貸与する時間に関する貸与時間情報を含む貸与者情報と、を含む管理情報を記憶する記憶部と、
前記貸与者の貸与者端末から送信される、車両の貸与の希望に関する貸与希望情報と、前記貸与者端末の現在地情報とを取得する情報取得部と、
前記情報取得部が貸与希望情報を取得すると、前記記憶部が記憶する前記管理情報と、前記情報取得部が取得した現在地情報とに基づいて、前記車両の貸与予定時間と前記車両の貸与を行う貸与予定ステーションを決定する貸与予定決定部と、
前記貸与予定決定部で決定された貸与予定時間と貸与予定ステーションに基づいて、前記車両の貸与予約を実行する貸与予約実行部と、
を備える車両管理サーバ。
【請求項２】
前記貸与予定決定部は、貸与者の駐車場と当該駐車場以外に提供されるスペースから貸与予定ステーションを決定する、請求項１に記載の車両管理サーバ。
【請求項３】
前記貸与予約実行部は、貸与予定決定部で決定された貸与予定時間と貸与予定ステーションを前記貸与者端末へ送信し、
前記情報取得部は、前記貸与者端末から送信される、前記貸与予定時間と前記貸与予定ステーションを変更するための変更情報を更に取得し、
前記貸与予定決定部は、前記情報取得部で取得された変更情報に基づいて前記貸与予定決定部で決定された貸与予定時間と貸与予定ステーションを変更し、
前記貸与予約実行部は、前記貸与予定決定部で変更された貸与予定時間と貸与予定ステーションに基づいて、前記車両の貸与予約を実行する、請求項１又は２に記載の車両管理サーバ。
【請求項４】
前記情報取得部は、前記貸与者端末から送信される前記変更情報を所定時間受け付け、
前記貸与予定決定部は、前記情報取得部が前記所定時間内に前記変更情報を取得すると、取得した前記変更情報に基づいて前記貸与予定決定部で決定された貸与予定時間と貸与予定ステーションを変更する、請求項３に記載の車両管理サーバ。
【請求項５】
車両の貸与を行うステーションの位置に関するステーション位置情報と、前記ステーションの空き状態に関するステーション空き情報を含むステーション管理情報と、前記車両の貸与者が使用するステーションに関する使用ステーション情報と、前記貸与者が車両を貸与する時間に関する貸与時間情報とを含む貸与者情報と、を含む管理情報を記憶する記憶ステップと、
前記貸与者の貸与者端末から送信される、貸与の希望に関する貸与希望情報と、前記貸与者端末の現在地情報とを取得する情報取得ステップと、
前記情報取得ステップで貸与希望情報が取得されると、前記記憶ステップで記憶する前記管理情報と、前記情報取得ステップで取得された現在地情報とに基づいて、前記車両の貸与予定時間と前記車両の貸与を行う貸与予定ステーションを決定する貸与予定決定ステップと、
前記貸与予定決定ステップで決定された貸与予定時間と貸与予定ステーションに基づいて、前記車両の貸与予約を実行する貸与予約実行ステップと、
をコンピュータが実行する車両管理方法。
【請求項６】
車両管理サーバとネットワークを介して接続される貸与者端末であって、
車両の貸与の希望に関する貸与希望情報を一の操作で受け付ける貸与希望受付部と、
前記貸与希望受付部に対して前記一の操作が行われると、前記貸与希望情報と、前記貸与者端末の現在地情報を前記車両管理サーバへ送信する端末送信部と、を備え、
前記車両管理サーバは、
車両の貸与を行うステーションの位置に関するステーション位置情報と、前記ステーションの空き状態に関するステーション空き情報を含むステーション管理情報と、前記車両の貸与者が使用するステーションに関する使用ステーション情報と、前記貸与者が車両を貸与する時間に関する貸与時間情報とを含む貸与者情報と、を含む管理情報を記憶する記憶部と、
前記貸与者の貸与者端末から送信される、車両の貸与の希望に関する貸与希望情報と、前記貸与者端末の現在地情報とを取得する情報取得部と、
前記情報取得部が貸与希望情報を取得すると、前記記憶部が記憶する前記管理情報と、前記情報取得部が取得した現在地情報とに基づいて、前記車両の貸与予定時間と前記車両の貸与を行う貸与予定ステーションを決定する貸与予定決定部と、
前記貸与予定決定部で決定された貸与予定時間と貸与予定ステーションに基づいて、前記車両の貸与予約を実行する貸与予約実行部とを備える、貸与者端末。
【発明の詳細な説明】
【技術分野】
【０００１】
本発明は、車両管理サーバ、車両管理方法、及び貸与者端末に関する。
【背景技術】
【０００２】
事前に登録を行った会員同士の間で車両を共同使用する、いわゆるカーシェアリングが普及しつつある。例えば、特許文献１には、複数の駐車場からシェアカーの数についての空車データを受信し、その空車データを駐車場の所在地と紐付けて蓄積すると共にシェアリング会員の所在地を含んだ属性情報を蓄積し、空車データと属性情報とを用いて個々のシェアリング会員の所在地と紐付けた会員用空車データを算出すること、更に、シェアリング会員に対して、会員用空車データを発信し、シェアリング会員からのシェアカー予約データを受信することが開示されている。
【０００３】
また、特許文献２には、自動車電子鍵サーバが、利用者端末から、端末ＩＤ、車両ＩＤ、及び利用希望期間を受け付け、車両ＩＤで特定される自動車の予約状況と利用希望期間とに基づいて利用可能期間を設定し、利用可能期間における照合で認証が成立するサーバ鍵及び端末鍵を発行し、サーバ鍵を保管し、端末鍵を端末ＩＤで特定される利用者端末に配信すること、また、車載装置から端末鍵及び車両ＩＤを受信すること、更に、車両ＩＤで特定される自動車について保管するサーバ鍵と、車載装置から受信した端末鍵とがいずれも利用可能期間内であって、かつ照合の結果、認証が成立した場合、自動車の開錠を指示する開錠信号を車載装置に送信すること、が開示されている。
【０００４】
また、持主とその家族が使用しない間、自家用車をレンタカーとして他人に利用させる技術が知られている（例えば、特許文献３を参照）。特許文献３には、端末とサーバとを電機通信網によって接続し、自家用車の持主が、端末にて、自家用車をレンタカーとして登録し、レンタカーの利用希望者が、端末にて、レンタカーを予約することが開示されている。
【先行技術文献】
【特許文献】
【０００５】
【特許文献１】特開２００４−１７８３８５号公報
【特許文献２】特開２００４−１９０２３３号公報
【特許文献３】特開２００４−１８５４６８号公報
【特許文献４】特開２００６−１１８９１号公報
【発明の概要】
【発明が解決しようとする課題】
【０００６】
事前に登録を行った会員同士の間で車両を共同使用する、いわゆるカーシェアリングが普及しつつある。カーシェアリングに関する技術として、乗車場所とステーションを指定した予約を可能とする技術が知られている。この従来の技術は、車両の借用予約、すなわち、車両の借用者の予約手続きに関するものである。上記従来の技術に代表されるように、従来の技術は、借用者の予約に関するものが殆どであり、車両の貸与者の貸与手続きに関するものは少ない。
【０００７】
一方で、貸与者の貸与手続きを従来よりも簡易な手続きで行える技術が求められている。また、近年、自家用車をレンタカーとして他人に利用させる技術も普及しつつある。このような自家用車をレンタカーとして他人に利用される技術では、貸与者が、車両の貸与の開始時間や終了時間などの情報を車載機や携帯端末等を通じて入力する必要があるが、
この入力作業が煩わしいといった懸念がある。すなわち、より簡易な手続きで車両を貸与できる技術が求められている。
【０００８】
本発明では、上記した背景に鑑み、従来よりも簡易な手続きで車両を貸与できる技術を提供することを課題とする。
【課題を解決するための手段】
【０００９】
本発明では、上述した課題を解決するため、貸与者や貸与者が貸与する車両に関する情報を車両管理サーバに記憶しておき、車両管理サーバが、記憶された情報に基づいて車両の貸与時間や車両を貸与するステーションを決定することとした。
【００１０】
より詳細には、本発明に係る車両管理サーバは、車両の貸与を行うステーションの位置に関するステーション位置情報と、前記ステーションの空き状態に関するステーション空き情報を含むステーション管理情報と、前記車両の貸与者が使用するステーションに関する使用ステーション情報、前記貸与者が車両を貸与する時間に関する貸与時間情報を含む貸与者情報と、を含む管理情報を記憶する記憶部と、前記貸与者の貸与者端末から送信される、車両の貸与の希望に関する貸与希望情報と、前記貸与者端末の現在地情報とを取得する情報取得部と、前記情報取得部が貸与希望情報を取得すると、前記記憶部が記憶する前記管理情報と、前記情報取得部が取得した現在地情報とに基づいて、前記車両の貸与予定時間と前記車両の貸与を行う貸与予定ステーションを決定する貸与予定決定部と、前記貸与予定決定部で決定された貸与予定時間と貸与予定ステーションに基づいて、前記車両の貸与予約を実行する貸与予約実行部と、を備える。
【００１１】
本発明によれば、管理情報を記憶部に記憶することで、車両管理サーバが、貸与予定時間や貸与予定ステーションの決定を行うことができる。従って、従来必要とされていた、貸与者による貸与予定時間の設定や貸与予定ステーションの設定といった操作負担を軽減することができる。すなわち、本発明によれば、従来よりも簡易な手続きで車両を貸与することができる。
【００１２】
ここで、本発明に係る車両管理サーバは、事前に登録を行った会員同士の間で車両を共同使用する、いわゆるカーシェアリングに関する技術として好適に用いることができる。貸与対象となる車両には、自動車や自動二輪車などが含まれる。貸与者には、業者又は個人の双方が含まれる。つまり、本発明に係る車両管理サーバは、業者が所有する車両を会員に貸与するカーシェアリング、個人が所有する車両を会員に貸与するカーシェアリングの双方に適用可能である。なお、貸与者が個人の場合、例えば、時間的余裕がないと、操作負担が煩わしいことを理由に車両の貸与を断念することも想定される。従って、本発明に係る車両管理サーバは、個人が所有する車両を会員に貸与するカーシェアリングに特に好適に用いることができる。
【００１３】
本発明では、記憶部が、車両管理サーバが貸与予定時間や貸与予定ステーションを決定するに際して必要な情報として、管理情報を記憶する。管理情報には、車両の貸与を行うステーションに関するステーション管理情報と、貸与者に関する貸与者情報が含まれる。ステーション管理情報には、ステーション位置情報とステーション空き情報が含まれる。ステーション位置情報とは、車両の貸与の開始や終了が可能な場所、換言すると車両を駐車可能であり、車両の貸与を行うステーションの位置に関する情報である。ステーション空き情報とは、ステーションが空いているか否かに関する情報、換言すると、車両を駐車可能であり、車両の貸与が可能か否かに関する情報である。貸与者情報とは、貸与者の普段の行動をベースとする情報であり、使用ステーション情報及び貸与時間情報が含まれる。使用ステーション情報には、貸与者が普段よく使用するステーションに関する情報が含まれる。貸与時間情報には、貸与者が普段貸与する時間に関する情報が含まれる。貸与者
が普段よく使用するステーションや貸与者が普段貸与する時間は、貸与者の履歴情報を蓄積し、蓄積した履歴情報に基づいて車両管理サーバが決定してもよく、また、予め貸与者に設定させてもよい。また、予め貸与者に設定させ、車両管理サーバが蓄積した履歴情報に基づいて修正を加えるようにしてもよい。
【００１４】
情報取得部は、貸与予定時間と貸与予定ステーションを決定する上で、上記管理情報と共に必要となる貸与希望情報及び貸与者端末の現在地情報を取得する。貸与希望情報や貸与者端末の現在地情報は、貸与者の貸与者端末から送信される。貸与者端末は、ネットワーク回線に接続する通信機能を有していればよく、携帯端末、パーソナルコンピュータ、車両に搭載される車載機等を含む。貸与希望情報とは、貸与の意思を含んでいればよく、貸与の時間に関する情報や貸与の場所に関する場所などの詳細情報を含む必要はない。
【００１５】
貸与予定決定部は、情報取得部が貸与希望情報を取得すると、上述した管理情報と貸与者端末の現在地情報とに基づいて、貸与予定時間と貸与予定ステーションを決定する。貸与予定時間や貸与予定ステーションは、従来、車両を貸与する際に貸与者からの指定が必要とされた情報である。つまり、これらの情報は、貸与時、入力作業が必ず求められたものである。これに対し、本発明では、車両管理サーバによってこれらの情報が決定されることから、貸与者の入力作業の負担を軽減することができる。
【００１６】
貸与予約実行部は、貸与予定決定部で決定された貸与予定時間と貸与予定ステーションに基づいて、前記車両の貸与予約を実行する。その結果、車両の貸与予約が実現される。
【００１７】
ここで、本発明に係る車両管理サーバにおいて、前記貸与予約実行部は、貸与予定決定部で決定された貸与予定時間と貸与予定ステーションを前記貸与者端末へ送信し、前記情報取得部は、前記貸与者端末から送信される、前記貸与予定時間と前記貸与予定ステーションを変更するための変更情報を更に取得し、前記貸与予定決定部は、前記情報取得部で取得された変更情報に基づいて前記貸与予定決定部で決定された貸与予定時間と貸与予定ステーションを変更し、前記貸与予約実行部は、前記貸与予定決定部で変更された貸与予定時間と貸与予定ステーションに基づいて、前記車両の貸与予約を実行するようにしてもよい。
【００１８】
本発明では、必要に応じて車両管理サーバで決定された貸与予定時間と貸与予定ステーションの変更が可能となる。その結果、車両を貸与する際の利便性がより向上する。
【００１９】
また、本発明に係る車両管理サーバにおいて、前記情報取得部は、前記貸与者端末から送信される、前記変更情報を所定時間受け付け、前記貸与予定決定部は、前記情報取得部が前記所定時間内に前記変更情報を取得すると、取得した前記変更情報に基づいて前記貸与予定決定部で決定された貸与予定時間と貸与予定ステーションを変更するようにしてもよい。
【００２０】
本発明では、時間的な基準を設けることで、貸与者の変更の意思を予測してその後の処理を実行することができる。所定時間は、変更情報を受け付ける時間として、適宜設定することができる。
【００２１】
ここで、本発明は、車両管理方法として特定することもできる。具体的には、本発明に係る車両管理方法は、車両の貸与を行うステーションの位置に関するステーション位置情報と、前記ステーションの空き状態に関するステーション空き情報を含むステーション管理情報と、前記車両の貸与者が使用するステーションに関する使用ステーション情報と、前記貸与者が車両を貸与する時間に関する貸与時間情報とを含む貸与者情報と、を含む管理情報を記憶する記憶ステップと、前記貸与者の貸与者端末から送信される、貸与の希望
に関する貸与希望情報と、前記貸与者端末の現在地情報とを取得する情報取得ステップと、前記情報取得ステップで貸与希望情報が取得されると、前記記憶ステップで記憶する前記管理情報と、前記情報取得ステップで取得された現在地情報とに基づいて、前記車両の貸与予定時間と前記車両の貸与を行う貸与予定ステーションを決定する貸与予定決定ステップと、前記貸与予定決定ステップで決定された貸与予定時間と貸与予定ステーションに基づいて、前記車両の貸与予約を実行する貸与予約実行ステップと、をコンピュータが実行する。
【００２２】
また、本発明は、上述した車両管理サーバで実行される処理を実現させるプログラムとして特定することもできる。すなわち、本発明は車両管理プログラムであって、コンピュータを、車両の貸与を行うステーションの位置に関するステーション位置情報と、前記ステーションの空き状態に関するステーション空き情報を含むステーション管理情報と、前記車両の貸与者が使用するステーションに関する使用ステーション情報、前記貸与者が車両を貸与する時間に関する貸与時間情報を含む貸与者情報と、を含む管理情報を記憶する記憶部と、前記貸与者の貸与者端末から送信される、車両の貸与の希望に関する貸与希望情報と、前記貸与者端末の現在地情報とを取得する情報取得部と、前記情報取得部が貸与希望情報を取得すると、前記記憶部が記憶する前記管理情報と、前記情報取得部が取得した現在地情報とに基づいて、前記車両の貸与予定時間と前記車両の貸与を行う貸与予定ステーションを決定する貸与予定決定部と、前記貸与予定決定部で決定された貸与予定時間と貸与予定ステーションに基づいて、前記車両の貸与予約を実行する貸与予約実行部として機能させる。
【００２３】
また、本発明は、上記車両管理プログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【００２４】
また、本発明は、貸与者端末として特定することもできる。具体的には、本発明は、上述した車両管理サーバとネットワークを介して接続される貸与者端末であって、車両の貸与の希望に関する貸与希望情報を一の操作で受け付ける貸与希望受付部と、前記貸与希望受付部に対して前記一の操作が行われると、前記貸与希望情報と、前記貸与者端末の現在地情報を前記車両管理サーバへ送信する端末送信部と、を備える。
【００２５】
貸与者端末は、上述したように、ネットワーク回線に接続する通信機能を有していればよく、携帯端末、パーソナルコンピュータ、車両に搭載される車載機等を含む。一の操作とは、ワンプッシュやワンクリックといった簡易な操作を意味する。本発明に係る貸与者端末によれば、簡易な操作で車両の貸与の手続きを行うことができる。
【００２６】
なお、本発明に係る貸与者端末において、貸与予定時間と貸与予定ステーションの詳細情報を受け付ける詳細情報受付部を更に備え、前記貸与希望受付部は、該貸与希望受付部に対して、前記一の操作とは異なる他の操作が行われると、前記詳細情報受付部としての機能するようにしてもよい。貸与者端末には、限られたスペースしか存在しないが、貸与希望受付部に複数の機能を持たせることで、限られたスペースを有効に活用することができ、その結果、貸与者端末の設計の自由度を向上させることができる。
【００２７】
更に、本発明は、上述した車両管理サーバ、貸与者端末、車両、及び借用者端末のうち、少なくとも車両管理サーバ予備貸与者端末を含む車両管理システムとして特定することもできる。
【発明の効果】
【００２８】
本発明によれば、従来よりも簡易な手続きで車両を貸与できる技術を提供することができる。
【図面の簡単な説明】
【００２９】
【図１】実施形態に係る車両管理システムの概略構成を示す。
【図２】実施形態に係る車両管理サーバの情報処理装置の機能ブロック図を示す。
【図３】ステーション管理データベースの一例を示す。
【図４Ａ】貸与者用ユーザ管理データベースの一例を示す。
【図４Ｂ】借用者用ユーザ管理データベースの一例を示す。
【図５】実施形態に係る車載装置の概略構成を示す。
【図６】実施形態に係る車両管理システムで行われる処理フローを示す。
【図７】貸与予約画面の一例を示す。
【図８】経路案内画面の一例を示す。
【図９】貸与情報画面の一例を示す。
【図１０】変更情報入力画面の一例を示す。
【図１１】貸与予約画面の変形例を示す。
【図１２】詳細予約画面の一例を示す。
【図１３】複数候補の貸与予定時間と貸与予定ステーションが表示された画面の一例を示す。
【発明を実施するための形態】
【００３０】
次に、本発明の実施形態について図面に基づいて説明する。以下の説明では、本発明に係る車両管理サーバを含む車両管理システムとして説明する。なお、以下の説明では、個人が所有する車両を会員に貸与するカーシェアリングに車両管理ステムを適用した場合を例に説明するが、本発明はこのような例に限定されるものではない。例えば、本発明は、業者が所有する車両を会員に貸与するカーシェアリングにも適用可能である。
【００３１】
＜構成＞
図１は、実施形態に係る車両管理システム１００の概略構成を示す。実施形態に係る車両管理システム１００は、車両管理サーバ１、貸与者端末２、借用者端末３、車両５、を備える。車両管理サーバ１は、貸与者端末２と借用者端末３とネットワーク６を介して接続されている。なお、貸与者端末２には、貸与者が持ち運び容易な携帯電話やスマートフォンに例示される貸与者携帯端末２Ａと車載装置４が含まれる。なお、車載装置４が通信機能を有していない場合には、通信機能を有する貸与者端末２を車載装置４と電気的に接続し、車載装置４を貸与者端末２を介してネットワーク６に接続可能としてもよい。ネットワーク６には、電話回線網を利用したインターネットが例示されるが、ネットワーク６は、車両管理サーバ１と貸与者端末２とを電気的に接続し、相互に通信可能とできるものであれば良くその態様は特に限定されない。
【００３２】
（車両管理サーバ）
図１に示すように、車両管理サーバ１は、ハードウェア構成として、情報処理装置１１、表示装置１２、入力装置１３、通信装置１４を備え、情報処理装置１１は、ＣＰＵ１５、メモリ１６、記憶装置１７を有する。
【００３３】
表示装置１２は、例えば、液晶表示装置、プラズマディスプレイパネル、ＣＲＴ（Ｃａｔｈｏｄｅ  Ｒａｙ  Ｔｕｂｅ）、エレクトロルミネッセンスパネル等を含む。入力装置１３は、例えば、キーボード、ポインティングデバイス、タッチパネル、操作ボタン等を含む。通信装置１４には、例えば、ネットワークへの接続を実現する通信モジュール（例
えば、ネットワークカード）が例示される。
【００３４】
ここで、図２は、実施形態に係る車両管理サーバの情報処理装置１１の機能ブロック図を示す。実施形態に係る車両管理サーバの情報処理装置１１は、ＣＰＵ（中央演算処理装置）１５、メモリ１６、情報取得部７１、記憶部７２、貸与予定決定部７３、貸与予約実行部７４を備える。車両管理サーバのＣＰＵ１５は、車両管理サーバ１の各ハードウェアを制御し、また、メモリ１６に格納された制御プログラムに従って、情報取得部７１、記憶部７２、貸与予定決定部７３、貸与予約実行部７４といった各機能部を機能させる。その結果、車両管理サーバの情報処理装置１１は、これらの各機能部を備える情報処理装置１１として機能する。各機能部は、ＣＰＵ１５上で実行されるコンピュータプログラムとして構成することができる。また、これらの各機能部は、専用のプロセッサとして構成してもよい。
【００３５】
情報取得部７１は、貸与者端末２から送信される貸与希望と貸与者端末２の現在地を取得する。現在地は、車載装置４の現在地でもよく、また、貸与者携帯端末２Ａの現在地でもよい。
【００３６】
記憶部７２は、管理情報として、車両５を貸与可能な場所の位置に関するステーション位置情報、ステーションが空いている否かに関するステーション空き情報、車両５を貸与する貸与者が使用するステーションに関する使用ステーション情報、貸与者が車両５を貸与する時間に関する貸与時間情報を記憶装置１７に記憶させる。記憶装置１７は、ステーション位置情報、ステーション空き情報を含むステーション管理データベース、貸与者の個人情報に関する貸与者用ユーザ管理データベース、及び、借用者の個人情報に関する借用者用ユーザ管理データベースを格納する。なお、各データベースの詳細については後述する。なお、記憶装置１７は、ハードディスクドライブ（以下、ＨＤＤとする。）や半導体メモリ等により構成することができる。
【００３７】
貸与予定決定部７３は、情報取得部７１が貸与希望情報を取得すると、記憶装置１７に記憶される管理情報と、情報取得部７１が取得した現在地情報とに基づいて、車両５の貸与予定時間と車両５の貸与を行う貸与予定ステーションを決定する。
【００３８】
貸与予約実行部７４は、貸与予定決定部７３で決定された貸与予定時間と貸与予定ステーションに基づいて、車両５の貸与予約を実行する。具体的には、貸与予約実行部７４は、貸与予定決定部７３で決定された貸与予定時間と貸与予定ステーションに基づいて記憶部７２が記憶する管理情報を更新する。なお、貸与予約が完了すると、これに対応して借用者端末３からの借用予約が可能となる。
【００３９】
ここで、図３は、ステーション管理データベースの一例を示す。ステーション管理データベースには、「ＳＴ名」、「ＳＴの位置情報」、「空き状態」、「ＳＴのサイズ」の項目が設けられ、ステーション（ＳＴ）毎に各項目に対応する情報が格納されている。「ＳＴ名」は、ステーションの名称に関する情報である。ステーションとは、車両５を使用しない際に車両を駐車するスペースであり、ステーションは、貸与開始場所（貸し出し場所）、貸与終了場所（返却場所）としての機能も有する。「ＳＴの位置情報」は、ステーションの位置を特定する情報であり、住所、電話番号、経度緯度情報を含む。「空き状態」は、各ステーションの空き状態に関する情報であり、本態様では、「空き」、「満」に分けられている。「空き」は、ステーションが空いていること、すなわち、車両５の駐車、返却等が可能であることを意味する。また、「満」は、ステーションが空いていないこと、すなわち、車両５の駐車や返却等ができないことを意味する。なお、「空き状態」には、何時から何時までは空いているといったように、時間情報を含めてもよい。「ＳＴのサイズ」は、各ステーションのサイズに関する情報であり、本実施形態では、「軽自動車」
、「普通車まで」、「大型車可」に分けられ、このうち図３では、「普通車まで」、「大型車可」が示されている。「軽自動車」は、軽自動車が駐車可能であることを意味する。「普通車まで」は、軽自動車、普通車が駐車可能であることを意味する。また、「大型車可」は、軽自動車、普通車、大型車が駐車可能であることを意味する。なお、軽自動車、普通車、大型車の定義は、排気量、車幅、車長等に基づいて予め定めておけばよい。
【００４０】
図４Ａは、貸与者用ユーザ管理データベースの一例を示す。貸与者用ユーザ管理データベースには、個人情報として、「ＩＤ」、「パスワード」、「貸与者名」、「貸与対象車両の種類」、「現在の貸与状況」、「普段貸与する時間」、「普段使用するＳＴ」、「貸与ＳＴ」、「貸与ＳＴの位置情報」の項目が設けられ、ユーザ毎に各項目に対応する情報が格納されている。これらの貸与者用ユーザ管理データベースを構成する各種情報は、貸与者端末２（車両管理サーバ１に接続可能なコンピュータ端末や携帯端末）や車載装置４（車両５を貸与中以外の場合において、車載装置４の使用が可能である場合に限る）を通じて貸与者が入力することができる他、車両管理サーバ１の運営者が車両管理サーバの入力装置１３を介して入力することもできる。また、「普段貸与する時間」及び「普段使用するＳＴ」は、貸与履歴を記憶装置１７に記憶しておき、この貸与履歴に基づいて車両管理サーバ１が適宜変更するようにしてもよい。
【００４１】
「ＩＤ」は、貸与者毎の個別の識別情報であり、パスワードと関連付けられている。「パスワード」は、貸与者毎の個別の認証情報であり、ＩＤと関連付けられている。「貸与者名」は、貸与者を特定する名称に関する情報である。「貸与対象車両の種類」は、貸与対象車両の種類に関する情報であり、図４Ａでは、「普通車」、「軽自動車」に分けられている。「貸与対象車両の種類」には、更に「大型車」を設けてもよく、また、乗車人数、排気量、マニュアル車／オートマ車等のより詳細な情報を含めるようにしてもよい。「現在の貸与状況」は、リアルタイムな貸与状況に関する情報であり、図４Ａでは、「貸与中」、「貸与不可」、「貸与可」に分けられている。「普段貸与する時間」は、貸与者が普段よく使用する時間、換言すると貸与する頻度が高い時間であり、曜日や時間によって特定することができる。「普段使用するＳＴ」は、貸与者が普段よく使用するステーション、換言すると使用頻度が高いステーションである。「貸与ＳＴ」及び「貸与ＳＴの位置情報」は、貸与中の貸与ステーション及び貸与ステーションの位置に関する情報である。「貸与ＳＴ」には、貸与の開始ＳＴと貸与の終了ＳＴに関する情報が保持されている。「貸与ＳＴの位置情報」は、貸与開始ＳＴと貸与終了ＳＴの位置を特定する情報であり、住所、電話番号、経度緯度情報を含む。なお、ステーションは、車両５の駐車や車両５貸与場所となるスペースであり、貸与者の駐車場を利用してもよく、また、例えば車両５を貸与するために車両管理サーバ１の運営者が提供するスペースでもよい。
【００４２】
図４Ｂは、借用者用ユーザ管理データベースの一例を示す。借用者用ユーザ管理データベースには、個人情報として、「ＩＤ」、「パスワード」、「借用者名」、「現在の借用状況」、「借用中の車両の種類」、「借用時間」、「借用ＳＴ」、「借用ＳＴの位置情報」の項目が設けられ、ユーザ毎に各項目に対応する情報が格納されている。これらの個人情報データベースを構成する各種情報は、車両５の借用を予約する際に、借用者端末３（車両管理サーバ１に接続可能なコンピュータ端末や携帯端末）から入力することで設定される。
【００４３】
「ＩＤ」及び「パスワード」については、貸与者に関するユーザ管理データベースにおける項目と同様である。「貸与者名」は、貸与者を特定する名称に関する情報である。「現在の借用状況」は、リアルタイムな借用の状況に関する情報であり、図４Ｂでは、借用者Ｋと借用者Ｌが「借用中」である。借用してない場合には、借用者Ｍのように空欄となる。「借用中の車両の種類」は、借用中の車両の種類に関する情報であり、図４Ｂでは、「普通車」、「軽自動車」に分けられている。なお、「借用中の車両の種類」には、「大
型車」を含めてもよく、また、乗車人数、排気量、マニュアル車／オートマ車等のより詳細な情報を含めるようにしてもよい。「借用時間」は、借用の予定時間であり、日付と時間によって特定することができる。「借用ＳＴ」には、借用の開始ＳＴと借用の終了ＳＴに関する情報が保持されている。「借用ＳＴの位置情報」は、借用開始ＳＴと借用終了ＳＴの位置を特定する情報であり、住所、電話番号、経度緯度情報を含む。
【００４４】
上述したステーション管理データベースと貸与者用ユーザ管理データベースと借用者用ユーザ管理データベースは、相互に関連しており、何れかのデータベースにおける所定の項目の内容が変更されると、関連する他のデータベースの項目が変更される。
【００４５】
（貸与者端末）
貸与者端末２は、車両５を貸与する貸与者の端末であり、ネットワークを介して車両管理サーバ１と接続され、貸与希望情報の入力及び送信等が可能である。図１に示すように、貸与者端末２は、携帯可能な貸与者携帯端末２Ａと車両５に搭載される車載装置４を含む。貸与者携帯端末２Ａと車載装置４は、貸与予約を行うプログラム（貸与予約部）をインストールすることで何れも貸与予約を行う上では同等の機能を有する。貸与者携帯端末２Ａは、ハードウェア構成として、情報処理装置２１、表示装置２２、入力装置２３、通信装置２４を備え、情報処理装置２１は、ＣＰＵ２５、メモリ２６、記憶装置２７、及び貸与予約部２８を有する。貸与者端末２には、携帯電話やスマートフォンなどの携帯端末、汎用のパーソナルコンピュータ等が例示される。貸与者携帯端末２が有するハードウェア構成は、例えば、上述した車両管理サーバ１のハードウェア構成と同じとすることができる。
【００４６】
貸与者携帯端末の情報処理装置２１は、ＣＰＵ（中央演算処理装置）２５、メモリ２６、記憶部２７、貸与予約部２８を備える。貸与者携帯端末の情報処理装置２１は、貸与者携帯端末２Ａの各ハードウェアを制御し、また、メモリ２６に格納された制御プログラムに従って、貸与予約部２８を機能させる。その結果、貸与者携帯端末の情報処理装置２１は、貸与予約部２８を備える情報処理装置２１として機能する。貸与予約部２８は、ＣＰＵ２５上で実行されるコンピュータプログラムとして構成することができる。また、貸与予約部２８は、専用のプロセッサとして構成してもよい。
【００４７】
貸与予約部２８は、貸与予約を受け付ける。例えば、貸与予約部２８は、「ワンボタン予約」が選択されると、貸与者が車両５の貸与を希望している旨の情報として貸与希望情報を車両管理サーバ１に向けて送信する。また、変更情報の入力を受け付ける。
【００４８】
（車載装置）
図５は、実施形態に係る車載装置４の概略構成を示す。貸与者が車両５を使用中（乗車中）の場合、車載装置４も貸与者端末２として機能する。実施形態に係る車載装置４は、ナビゲーション機能を備え、ディスク再生部４１と、メモリーカード再生部４２、ＴＶ受信部４３と、ラジオ受信部４４と、車両ディスプレイ４５と、車両操作部４６と、車両通信部４７と、ＧＰＳ情報受信部４８と、これらと電気的に接続される車両制御部４０と、を有する。
【００４９】
ディスク再生部４１は、ＣＤ、ＤＶＤ、ＢＤ（ブルーレイディスク）等の光ディスクに記録されているコンテンツを再生し、例えばＣＤ／ＤＶＤデッキによって構成することができる。メモリーカード再生部４２は、ＵＳＢメモリ、ＳＤメモリーカードといった車載装置４に着脱可能な移動型記憶媒体に格納されているコンテンツを再生する。ＴＶ受信部４３は、ＤＴＶ（Digital Television）放送やワンセグ放送を受信する。ＴＶ受信部４３は、既存のチューナによって構成することができる。ラジオ受信部４４は、ＦＭ放送、ＡＭ放送、ＶＩＣＳ情報等を受信する。ラジオ受信部４４は、既存のチューナによって構成
することができる。車両ディスプレイ４５は、地図情報、再生されるコンテンツに関する情報、貸与者の操作を受け付ける操作ボタン等が表示可能である。車両通信部４７は、例えば、貸与者端末２又は借用者端末３との間でデータの送受信を行うことが可能である。車両通信部４７は、Bluetooth（登録商標）用アンテナ、赤外線ポート、ケーブルを接続
するコネクタ等によって構成することができる。ＧＰＳ情報受信部４８は、ＧＰＳ（Global Positioning System）情報を受信する。ＧＰＳ情報受信部４８は、図示せぬＧＰＳ用
受信アンテナによって構成することができる。
【００５０】
車両制御装置４０は、ＣＰＵ４０１、メモリ４０２を含むコンピュータとコンピュータ上で実行されるプログラムによって実現される。ＣＰＵ４０１は、車載装置４の各ハードウェアを制御し、また、メモリ４０２に格納された制御プログラムに従って、ナビ制御部４０３、貸与予約部４０４といった各機能部を機能させる。その結果、車載装置４は、これらの各機能部を備える車載装置として機能する。各機能部は、ＣＰＵ４０１上で実行されるコンピュータプログラムとして構成することができる。また、これらの各機能部は、専用のプロセッサとして構成してもよい。
【００５１】
ナビ制御部４０３は、目的地の位置情報と現在地の位置情報に基づいて経路案内を行う。また、車両貸与制御装置４０４は、車両５の貸与予約を行えるよう車載装置４を機能させる。すなわち、貸与予約部４０４は、車両ディスプレイ４５に貸与予約画面を表示させ、更にこの画面上に、選択ボタンとして、「ワンボタン予約」及び「詳細予約」を表示させる。また、貸与予約部４０４は、「ワンボタン予約」が選択されると、貸与者が車両５の貸与を希望している旨の情報として貸与希望情報を車両管理サーバ１に向けて送信する。また、貸与予約部４０４は、「詳細予約」が選択されると、車両ディスプレイ４５に詳細予約選択画面を表示させ、詳細情報の入力を受け付け、詳細情報を車両管理サーバ１へ送信する。
【００５２】
また、貸与者携帯端末２Ａと車載装置４は、電気的に接続可能であり、車載装置４が通信機能を有していない場合には、車両管理サーバ１への接続は、携帯端末などの貸与者端末２を通じて行うことができる。
【００５３】
（借用者端末）
借用者端末３は、車両５を借用する借用者の端末であり、ネットワークを介して車両管理サーバ１と接続され、借用予約を行うプログラムをインストールすることで、車両５の借用を実現する為の各種手続が可能である。また、本実施形態では、図１に示すように、借用者端末３は、ハードウェア構成として、情報処理装置３１、表示装置３２、入力装置３３、通信装置３４を備え、情報処理装置３１は、ＣＰＵ３５、メモリ３６、記憶装置３７を有する。借用者端末３には、携帯電話やスマートフォンなどの携帯端末等が例示される。借用者端末３が有するハードウェア構成は、例えば、上述した車両管理サーバ１のハードウェア構成と同じとすることができる。
【００５４】
＜処理フロー＞
次に実施形態に係る車両管理システム１００で行われる処理について図面に基づいて説明する。図６は、車両管理システムで行われる処理フローを示す。なお、以下の説明では、本発明に係る車両管理サーバを個人が所有する車両を会員に貸与するカーシェアリングに適用する場合について説明する。以下に説明する処理が有効なシチュエーションとしては、車両５で通勤時、渋滞に巻き込まれ、重要な会議等に間に合わない場合に、車両５を最寄のステーションに駐車し、電車に乗り換えるケースが例示される。なお、ステップＳ０１からステップＳ０５は、貸与者端末２としての車載装置４で実行され、ステップＳ１１からステップＳ１７は、車両管理サーバ１で実行され、ステップＳ２１から２６は、貸与者端末２としての貸与者携帯端末２Ａで実行される。
【００５５】
ステップＳ０１では、貸与予約部４０４は、車両ディスプレイ４５に貸与予約画面を表示させる。例えば、ナビ画面のメニューリストに車両の貸与予約を開始するための「貸与予約ボタン」を設けておき、この「貸与予約ボタン」が選択されると、貸与予約画面が起動されるようにすればよい。図７は、車両ディスプレイに表示される貸与予約画面の一例を示す。図７に示す例では、車両ディスプレイ４５の左側に貸与予約画面が表示され、車両ディスプレイ４５の右側には、ナビ画面が表示されている。また、貸与予約画面には、選択ボタンとして、「ワンボタン予約」と「詳細予約」が表示されている。なお、貸与予約画面は、ナビ画面と独立して表示するようにしてもよい。なお、選択ボタンとしての、「ワンボタン予約」や「詳細予約」は、車載装置４に設けられる物理的なボタンとしてもよい。貸与予約画面が表示されるとステップＳ０２へ進む。
【００５６】
ステップＳ０２では、「ワンボタン予約」が選択され、貸与予約部４０４がこれを検知する。続いて、ステップＳ０３では、貸与予約部４０４は、貸与希望情報を車両管理サーバ１へ向けて送信する。すなわち、貸与予定時間や貸与予定ステーションなどの詳細情報を含まない貸与希望情報、換言すると貸与の意思表示のみを含む貸与希望情報が送信される。また、車載装置４の現在地情報が合わせて送信される。貸与希望情報が送信されるとステップＳ１１へ進む。
【００５７】
ステップＳ１１では、車両管理サーバの情報取得部７１は、通信装置１４を介して貸与希望情報を取得する。また、車載装置４の現在地情報が合わせて取得される。なお、車載装置４の現在地情報は、情報取得部７１が車載装置４に要求して取得するようにしてもよい。貸与希望情報及び現在地情報が取得されるとステップＳ１２へ進む。
【００５８】
ステップＳ１２では、貸与予定決定部７３は、貸与予定時間と貸与予定ステーションを決定する。すなわち、貸与予定決定部７３は、ステーション管理データベースへアクセスし、情報取得部７１が取得した車載装置４の現在地情報とステーション管理データベースに格納されるステーションの位置情報とを比較し、車載装置４の現在地周辺のステーションを抽出する。周辺か否かは、予め規定した基準となる距離に基づいて判断する。車載装置４の現在地周辺に複数のステーションが存在する場合、条件を満たすステーションを複数抽出する。次に、貸与予定決定部７３は、ステーション管理データベースに格納されている空き状態に基づいて、抽出されたステーションに空きがあるか否か判断する。なお、貸与者用ユーザ管理データベースには、貸与者毎に普段貸与する時間に関する情報と普段使用するステーションに関する情報が格納されている。そこで、貸与予定決定部７３は、車両５の現在地周辺かつ空きがあるステーションの中から普段使用するステーション若しくは普段使用するステーションに条件が近いステーションを最終的に抽出する。
【００５９】
ここで、貸与予定時間と貸与予定ステーションの決定は、公共交通機関の乗車場所（駅やバス停）からの距離、ステーションのサイズ（貸与する車両５が駐車可能か否か）といった条件を更に考慮して行ってもよい。また、上述した処理では、現在地周辺のステーションを抽出した上で抽出されたステーションと普段使用するステーションとの比較を行ったが、普段使用するステーションの空き状況を直接確認するようにしてもよい。また、貸与者用ユーザ管理データベースに格納される普段貸与する時間に関する情報や普段使用するステーションに関する情報は、貸与者が貸与者端末２を通じて設定してもよく、また、貸与履歴を記憶装置１７に蓄積し、貸与履歴に基づいて車両管理サーバ１が修正するようにしてもよい。また、例えば、貸与希望情報が午前中に取得された場合、貸与者が遠出をすると予測して、貸与終了時間を１０時間後に設定するようにしてもよい。また、例えば、貸与希望情報が午後に取得された場合、短時間の外出と予測して、貸与終了時間を２時間後に設定するようにしてもよい。貸与予定時間と貸与予定ステーションが決定されると、ステップＳ１３へ進む。なお、本実施形態において、ステップＳ１２で決定された貸与
予定時間と貸与予定ステーションは、暫定的なものであり、ステップＳ２１以降の処理を実行することで変更可能である。
【００６０】
ステップＳ１３では、貸与予約実行部７４は、決定された貸与予定ステーションを予約する。具体的には、貸与予約実行部７４は、ステーション管理データベースにアクセスして、ステーション管理データベースの更新等を行う。続いてステップＳ１４では、貸与予約実行部７４は、通信装置１４を介して、貸与予定時間と貸与予定ステーションを車載装置４へ送信する。貸与予定時間には、「年」、「月」、「日」、「曜日」、「時間」が含まれる。貸与予定ステーションには、「ステーション名」、「ステーションの位置情報」が含まれる。「ステーションの位置情報」は、ステーションの位置を特定する情報であり、住所、電話番号、経度緯度情報を含む。貸与予定時間と貸与予定ステーションが送信されると、ステップＳ０４へ進む。
【００６１】
ステップＳ０４では、貸与予約部４０４は、車両通信部４７を介して、貸与予定時間と貸与予定ステーションを受信する。続いてステップＳ０５では、ナビ制御部４０３は、車両対処制御部４０４が取得した貸与予定ステーションの位置情報に基づいて、経路案内を開始する。図８は、経路案内の画面の一例を示す。図８では、現在地からステーションＡまでの経路が表示されている。本実施形態では、車載装置４が経路案内を行うが、車両管理サーバ１が、貸与予定ステーションまでのルート情報を地図情報として作成し、貸与者携帯端末２Ａや車載装置４へ送信するようにしてもよい。送信されたルート情報を含む地図情報は、貸与者携帯端末の表示装置２２又は車載装置の車両ディスプレイ４５へ表示される。経路案内が完了、すなわち、貸与者が貸与予定ステーションまで案内されるとステップＳ２１へ進む。貸与者がステーションまで案内されると、例えば、貸与者は、車両５を案内されたステーションに駐車し、電車に乗り換えることができる。
【００６２】
ステップＳ２１では、貸与者携帯端末の貸与予約部２８は、貸与者携帯端末の表示装置２２に貸与情報画面を表示させる。例えば、メニュー画面のメニューリストに車両の貸与予約を開始するための「貸与予約ボタン」を設けておき、この「貸与予約ボタン」が選択されると、貸与予約画面のトップ画面が表示される。次に、トップ画面に例えば「現在の貸与状況」といった選択ボタンを設けておき、この「現在の貸与状況」が選択されると、貸与情報画面が表示される。ここで、図９は、貸与者携帯端末の表示装置２２に表示される貸与情報画面の一例を示す。図９に示す例では、貸与情報として、「貸与開始日時」、「貸与開始ステーション」、「貸与終了日時」、「貸与終了ステーション」と、選択ボタンとしての「変更」が表示されている。貸与情報は、貸与予約情報決定部７３によって決定され、かつ、貸与予約実行部７４によって送信された情報である。「変更」は、貸与予約情報決定部７３によって決定された貸与情報の変更を受け付ける選択ボタンである。貸与情報画面が表示されると、ステップＳ２２へ進む。
【００６３】
ステップＳ２２では、「変更」が選択され、貸与者携帯端末の貸与予約部２８がこれを検知する。続いて、ステップＳ２３では、変更情報が入力され、貸与予約部２８は、変更情報を取得する。具体的には、貸与予約部２８は、貸与者携帯端末の表示装置２２に変更情報入力画面を表示させ、変更情報入力画面を介して貸与情報の変更を受け付ける。ここで、図１０は、貸与者携帯端末の表示装置２２に表示される変更情報入力画面の一例を示す。図１０に示す例では、貸与情報画面に表示された貸与情報に加えて、変更項目が表示され、貸与情報の変更が可能となっている。この変更情報入力画面において、貸与者は、貸与予約情報決定部７３によって決定された貸与情報を任意に変更することができる。変更情報が入力されると、ステップＳ２４へ進む。
【００６４】
ステップＳ２４では、貸与者携帯端末の貸与予約部２８は、貸与者携帯端末２Ａの通信装置２４を介して、変更情報を車両管理サーバ１へ送信する。次に、ステップＳ１４では
、車両管理サーバ１の情報取得部７１は、通信装置１４を介して、変更情報を取得する。次に、車両管理サーバの貸与予約実行部７４は、取得した変更情報に基づいて、貸与情報の変更を行う。すなわち、貸与予約情報決定部７３によって決定された貸与予定時間と貸与予定ステーションが変更情報に基づいて変更される。この際、車両管理データベース等に格納される情報も更新される。貸与予定時間と貸与予定ステーションが変更情報に基づいて変更されるとステップＳ１７へ進む。
【００６５】
ステップＳ１７では、車両管理サーバ１の情報取得部７１は、通信装置１４を介して、変更結果を貸与者携帯端末２Ａへ送信する。すなわち、貸与者携帯端末の貸与予約部２８によって変更された、変更後の貸与予定時間と貸与予定ステーションが変更結果として貸与者携帯端末２Ａへ送信される。変更結果が送信されるとステップＳ２５へ進む。
【００６６】
ステップＳ２５では、貸与者携帯端末の貸与予約部２８は、貸与者携帯端末２Ａの通信装置２４を介して、変更結果を受信する。次に、貸与者携帯端末の貸与予約部２８は、貸与者携帯端末２Ａの通信装置２４を介して、貸与者携帯端末の表示装置２２に変更結果を表示する。
【００６７】
＜変形例＞
上述した処理における処理の順序は、一例にすぎず処理の順序は、適宜入れ替えることができる。また、例えば、ステップＳ１２の次にステップＳ１４へ進み、所定時間経過後にステップＳ１３の処理を行うようにしてもよい。すなわち、貸与予定時間と貸与予定ステーションが決定されると、貸与予約実行部７４は、貸与予定時間と貸与予定ステーションを車載装置４へ送信する。その後、貸与予約実行部７４は、変更情報の受付時間として所定時間待機し、車両管理サーバ１の情報取得部７１が所定時間内に変更情報を受信すると、取得した変更情報に基づいて、貸与情報の変更を行う。また、貸与予約実行部７４は、車両管理サーバ１の情報取得部７１が所定時間内に変更情報を受信しなかった場合、貸与予約実行部７４は、決定された貸与予定ステーションを予約する。
【００６８】
また、貸与予定決定部７３で決定された貸与予定時間と貸与予定ステーションの変更は、電話を通じて行うようにしてもよい。
【００６９】
また、図７に示す貸与予約画面では、選択ボタンとして「ワンボタン予約」と「詳細予約」の双方を表示したが、「ワンボタン予約」のみを表示し、この「ワンボタン予約」に対して普段と異なる操作を行うことで詳細予約画面を起動するようにしてもよい。図１１は、貸与予約画面の変形例を示す。図１１に示す変形例に係る貸与予約画面では、操作ボタンとして「ワンボタン予約」のみが表示されている。但し、この「ワンボタン予約」には、詳細予約画面を起動する機能も割り当てられており、長押しやダブルクリックといった普段とは異なる操作を行うことで、詳細予約画面の起動が可能となっている。車載装置４や貸与者携帯端末２Ａの表示スペースは狭いことから、このように一つの選択ボタンに複数の機能を持たせることで画面の有効活用を図ることができる。
【００７０】
図１２は、詳細予約画面の一例を示す。図１２に示す詳細予約画面には、「貸与開始日時」、「貸与開始ステーション」、「貸与終了日時」、「貸与終了ステーション」毎に、入力項目が表示され、貸与情報の入力が可能となっている。この詳細予約画面において、貸与者は、貸与開始日時、貸与開始ステーション、貸与終了日時、貸与終了ステーションを任意に修正することができる。なお、貸与開始ステーションと貸与終了ステーションは、独立して設定することができる。従って、例えば、海外旅行に出掛ける際、出発時には渋滞等を考慮して車両５で所定の駅まで行き、駅近くのステーションに駐車する。帰宅時は、荷物や仮に渋滞に巻き込まれても帰宅するだけであり影響が少ないことを考慮して空港近くのステーションで車両５を受け取るといったことも可能である。
【００７１】
また、例えば、ステップＳ１２において、貸与予定時間と貸与予定ステーションを複数候補決定し、ステップＳ１４において複数候補の貸与予定時間と貸与予定ステーションを送信し、貸与者に最終的に選択させるようにしてもよい。図１３は、複数候補の貸与予定時間と貸与予定ステーションが表示された画面の一例を示す。図１３に示す画面は、飛行場の周辺が抽出された例であり、第１ターミナル周辺のステーションとして、ステーションＡとステーションＢが表示され、第２ターミナル周辺のステーションとして、ステーションＣとステーションＤが表示されている。また、各ステーションにステーションの空き状態（空き期間）が表示されている。各ステーションは、選択ボタンとなっており、貸与者は、これら複数のステーションの中から任意のステーションを選択することができる。
【００７２】
＜効果＞
以上説明した実施形態に係る車両管理システム１００によれば、管理情報を記憶装置１７に記憶することで、車両管理サーバ１が、貸与予定時間や貸与予定ステーションの決定を行うことができる。従って、従来必要とされていた、貸与者による貸与予定時間の設定や貸与予定ステーションの設定といった操作負担を軽減することができる。すなわち、本発明によれば、従来よりも簡易な手続きで車両を貸与することができる。例えば、車両５で通勤時、渋滞に巻き込まれ、重要な会議等に間に合わない場合に、車両５を最寄のステーションに駐車し、電車に乗り換えることができる。車両５内では、車載装置４に表示される選択ボタンとしての「ワンボタン予約」を選択するだけでよいので、非常に簡易な操作で貸与予約を行うことができる。また、「ワンボタン予約」を選択することで車両管理サーバ１で決定された貸与予定時間や貸与予定ステーションは、電車に乗り換えた後、電車内で変更することができる。従って、貸与者が普段と異なる行動をとる場合にも臨機応変に対応することができる。
【００７３】
以上本発明の実施形態及び変形例について説明したが、本発明に係る車両管理システムはこれらに限らず、可能な限りこれらの組合せを含むことができる。
【符号の説明】
【００７４】
１・・・車両管理サーバ
２・・・貸与者端末
２Ａ・・・貸与者携帯端末
３・・・借用者端末
４・・・車載装置
５・・・車両
６・・・ネットワーク
１１、２１・・・情報処理装置
１２、２２・・・表示装置
１３、２３・・・入力装置
１４、２４・・・通信装置
１５、２５・・・ＣＰＵ
１６、２６・・・メモリ
１７、２７・・・記憶装置
７１・・・情報取得部
７２・・・記憶部
７３・・・貸与予定決定部
７４・・・貸与予約実行部
１００・・・車両管理システム
【図１】
0005624405.tif 000002
【図２】
0005624405.tif 000003
【図３】
0005624405.tif 000004
【図４Ａ】
0005624405.tif 000005
【図４Ｂ】
0005624405.tif 000006
【図５】
0005624405.tif 000007
【図６】
0005624405.tif 000008
【図７】
0005624405.tif 000009
【図８】
0005624405.tif 000010
【図９】
0005624405.tif 000011
【図１０】
0005624405.tif 000012
【図１１】
0005624405.tif 000013
【図１２】
0005624405.tif 000014
【図１３】
0005624405.tif 000015